【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
電子写真感光体および帯電部材を一体に支持し、電子写真装置本体に着脱自在であるプロセスカートリッジにおいて、
該電子写真感光体の表面層がシロキサン化合物を含有し、
該帯電部材が、導電性基体、弾性層、および、表面層をこの順に有し、
該帯電部材の該弾性層が、アルキレンオキサイド由来のユニットを有する重合体、ならびに、黒鉛粒子および黒鉛化粒子からなる群より選択される少なくとも一方の導電性粒子を含有し、
該帯電部材の該弾性層の表面が、該導電性粒子が該弾性層から露出している露出部を有し、
該導電性粒子の該露出部を含む該帯電部材の該弾性層の表面が、該帯電部材の該表面層で被覆されており、
該帯電部材の該表面層が、結着樹脂、および、該結着樹脂中に分散されている樹脂粒子を含有し、
該帯電部材の該表面層の表面が、該樹脂粒子に由来する凸部を複数有し、
該帯電部材の該表面層中の該樹脂粒子を該帯電部材の該弾性層の表面に正投影したときの、該帯電部材の該弾性層の表面における該樹脂粒子の投影部以外の部分が、該導電性粒子の該露出部と重なっている
ことを特徴とするプロセスカートリッジ。
【請求項２】
前記導電性粒子の平均粒径が、１μｍ以上１００μｍ以下である請求項１に記載のプロセスカートリッジ。
【請求項３】
前記導電性粒子が、鱗片状の形状を有し、前記導電性粒子の黒鉛（００２）面の面間隔が、０．３３５４以上０．３３６５以下である請求項１または２に記載のプロセスカートリッジ。
【請求項４】
前記樹脂粒子が、アクリル樹脂、スチレン樹脂またはウレタン樹脂の粒子である請求項１〜３のいずれか１項に記載のプロセスカートリッジ。
【請求項５】
前記電子写真感光体の前記表面層が、ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチルおよびスルホランからなる群より選択される少なくとも１種の化合物をさらに含有する請求項１〜４のいずれか１項に記載のプロセスカートリッジ。
【請求項６】
前記電子写真感光体の前記表面層における前記化合物の含有量が、前記電子写真感光体の前記表面層の全質量に対して０．１質量％以上２．０質量％以下である請求項５に記載のプロセスカートリッジ。
【請求項７】
電子写真感光体および帯電部材を有する電子写真装置において、
該電子写真感光体の表面層が、シロキサン化合物を含有し、
該帯電部材が、導電性基体、弾性層、および、表面層をこの順に有し、
該帯電部材の該弾性層が、アルキレンオキサイド由来のユニットを有する重合体、ならびに、黒鉛粒子および黒鉛化粒子からなる群より選択される少なくとも一方の導電性粒子を含有し、
該帯電部材の該弾性層の表面が、該導電性粒子が該弾性層から露出している露出部を有し、
該導電性粒子の該露出部を含む該帯電部材の該弾性層の表面が、該帯電部材の該表面層で被覆されており、
該帯電部材の該表面層が、結着樹脂、および、該結着樹脂中に分散されている樹脂粒子を含有し、
該帯電部材の該表面層の表面が、該樹脂粒子に由来する凸部を複数有し、
該帯電部材の該表面層中の該樹脂粒子を該帯電部材の該弾性層の表面に正投影したときの、該帯電部材の該弾性層の表面における該樹脂粒子の投影部以外の部分が、該導電性粒子の該露出部と重なっている
ことを特徴とする電子写真装置。
【請求項８】
前記導電性粒子の平均粒径が、１μｍ以上１００μｍ以下である請求項７に記載の電子写真装置。
【請求項９】
前記導電性粒子が、鱗片状の形状を有し、前記導電性粒子の黒鉛（００２）面の面間隔が、０．３３５４以上０．３３６５以下である請求項７または８に記載の電子写真装置。
【請求項１０】
前記樹脂粒子が、アクリル樹脂、スチレン樹脂またはウレタン樹脂の粒子である請求項７〜９のいずれか１項に記載の電子写真装置。
【請求項１１】
前記電子写真感光体の前記表面層が、ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチルおよびスルホランからなる群より選択される少なくとも１種の化合物をさらに含有する請求項７〜１０のいずれか１項に記載の電子写真装置。
【請求項１２】
前記電子写真感光体の前記表面層における前記化合物の含有量が、前記電子写真感光体の前記表面層の全質量に対して０．１質量％以上２．０質量％以下である請求項１１に記載の電子写真装置。
【手続補正２】
【補正対象書類名】明細書
【補正対象項目名】００１１
【補正方法】変更
【補正の内容】
【００１１】
電子写真感光体および帯電部材を一体に支持し、電子写真装置本体に着脱自在であるプロセスカートリッジにおいて、
該電子写真感光体の表面層がシロキサン化合物を含有し、
該帯電部材が、導電性基体、弾性層、および、表面層をこの順に有し、
該帯電部材の該弾性層が、アルキレンオキサイド由来のユニットを有する重合体、ならびに、黒鉛粒子および黒鉛化粒子からなる群より選択される少なくとも一方の導電性粒子を含有し、
該帯電部材の該弾性層の表面が、該導電性粒子が該弾性層から露出している露出部を有し、
該導電性粒子の該露出部を含む該帯電部材の該弾性層の表面が、該帯電部材の該表面層で被覆されており、
該帯電部材の該表面層が、結着樹脂、および、該結着樹脂中に分散されている樹脂粒子を含有し、
該帯電部材の該表面層の表面が、該樹脂粒子に由来する凸部を複数有し、
該帯電部材の該表面層中の該樹脂粒子を該帯電部材の該弾性層の表面に正投影したときの、該帯電部材の該弾性層の表面における該樹脂粒子の投影部以外の部分が、該導電性粒子の該露出部と重なっている
ことを特徴とするプロセスカートリッジに関する。
【手続補正３】
【補正対象書類名】明細書
【補正対象項目名】００１２
【補正方法】変更
【補正の内容】
【００１２】
また、本発明は、
電子写真感光体および帯電部材を有する電子写真装置において、
該電子写真感光体の表面層が、シロキサン化合物を含有し、
該帯電部材が、導電性基体、弾性層、および、表面層をこの順に有し、
該帯電部材の該弾性層が、アルキレンオキサイド由来のユニットを有する重合体、ならびに、黒鉛粒子および黒鉛化粒子からなる群より選択される少なくとも一方の導電性粒子を含有し、
該帯電部材の該弾性層の表面が、該導電性粒子が該弾性層から露出している露出部を有し、
該導電性粒子の該露出部を含む該帯電部材の該弾性層の表面が、該帯電部材の該表面層で被覆されており、
該帯電部材の該表面層が、結着樹脂、および、該結着樹脂中に分散されている樹脂粒子を含有し、
該帯電部材の該表面層の表面が、該樹脂粒子に由来する凸部を複数有し、
該帯電部材の該表面層中の該樹脂粒子を該帯電部材の該弾性層の表面に正投影したときの、該帯電部材の該弾性層の表面における該樹脂粒子の投影部以外の部分が、該導電性粒子の該露出部と重なっている
ことを特徴とする電子写真装置に関する。